(57)【要約】      （修正有）【課題】風雨が強い日は顔や眼鏡が濡れてしまい、自転車のカゴを覆っているポンチョの生地がめくれやすいという問題点を解消し、雨具本体であるバイザーとフードを手提げ収納袋とすることで、雨具全体をコンパクトに収納できるポンチョを提供する。【解決手段】ポンチョの頭部を覆う場所であるフード２を外しファスナー３を閉じることでフードを袋状にし、フードの開口部とバイザーの土台部分をスナップボタンで固定し、バイザーつば部分１と土台部分を回転させ土台部分を持ち手とする事で手提げ収納袋にし、ポンチョ本体を畳んで収納する。ポンチョの前面の下部に、両端にフックを装備した伸縮部材を装着し、自転車カゴに固定し、ポンチョの生地のめくれを防止する。【選択図】図１
2013234411.tif 000002
【特許請求の範囲】
【請求項１】
ポンチョの頭部を覆う部分であるフード前面の顔周り部分に、スライドファスナーが装備されており、フードの前頭に近い部分のスナップボタンが、バイザーの土台に近いつば部分のスナップボタンと係合部で着脱でき、フードの首に近い部分のスナップボタンと、ポンチョの襟のスナップボタンも、係合部で着脱でき、バイザー部分とフード部分とポンチョ本体部分とを係合部で外した状態から、フード前面にある顔周り部分のスライドファスナーを閉じて袋状にし、フードの開口部にあるスナップボタンと、バイザーの土台部分を回転させた状態で、バイザーつば部分の土台に近い部分にあるスナップボタンとを係合部で結合し、持ち手付きの収納袋になることを特徴とするポンチョ。
【請求項２】
ポンチョを着た状態で、ポンチョ前面の下部に両端にフックを２個装備したゴムで伸縮する部材をスナップボタンで着脱でき、この両端にフックを２個装備したゴムで伸縮する部材をスナップボタンで装着した上、更にその２個のフックを自転車かごの下部に装着することができ、ポンチョのめくれを防止することを特徴とする請求項１記載のポンチョ。
【発明の詳細な説明】
【技術分野】
【０００１】
本発明は、ポンチョのフード部分とバイザー部分を着脱し、更にそれが手提げ収納袋となりポンチョ全てが収納できることと、ポンチョの前面の下部に、両端にフックを２個装備したゴムで伸縮する部材を自転車カゴに固定する事により、ポンチョの生地のめくれを防止する事を目的とした雨具に関するものである。
【背景技術】
【０００２】
従来のポンチョには、ポンチョ本体とは別に収納袋が付いているものがある。
【０００３】
従来のポンチョには、ポンチョ前面の下部に１か所クリップがついているものがある。
【先行技術文献】
【非特許文献】
【０００４】
【非特許文献１】ダイシャリン  自転車屋.com  [大久保製作所  自転車屋さんのポンチョ]  [平成２４年３月１０日検索]、インターネット  [URL: http://jitenshaya-web.com/special-page/index.php/item/detail/298/3]
【発明の概要】
【発明が解決しようとする課題】
【０００５】
以上に述べたポンチョの収納袋では、付属品のためサイズが小さく収納には限界がありフードの雨除け部分を大きくする等の改良が困難であった。そのため上記のポンチョでは、風雨が強い日には、顔や眼鏡が濡れてしまうという問題点があった。この発明はかかる問題点を解決するためになされたものである。
【０００６】
以上に述べたポンチョの、前面の下部に装備されているクリップでは、風雨が強い日には、自転車のカゴを覆っている生地がめくれてしまうという問題点があった。この発明はかかる問題点を解決するためになされたものである。
【課題を解決するための手段】
【０００７】
ポンチョの頭部を覆う場所であるフード部分を外し、ファスナー部分を閉じることで、フードが袋状になる。袋状になったフードの開口部と、バイザーの土台に近い部分をスナップボタンで固定し、バイザーのつば部分と土台部分を回転させ、土台部分を持ち手とする事で手提げ収納袋になる。そこにポンチョ本体を畳んで収納することを特徴とする。
【０００８】
ポンチョの前面の下部に、両端にフックを２個装備したゴムで伸縮する部材をスナップボタンで装着し、自転車カゴにフックで固定する事により、ポンチョの生地のめくれを防止する。両端にフックを２個装備したゴムで伸縮する部材の中央部分と、ポンチョの前面の下部を、スナップボタンで固定する構造にする事で、自転車の転倒などの非常事態に、安全対策ですぐスナップボタン係合部が外れる事などが特徴である。
【発明の効果】
【０００９】
上述したように、バイザー部分を含むポンチョ自体が収納袋を兼ねることで、収納  が非常にコンパクトになり、大型のバイザー及びフックを採用することで、顔や荷  物が濡れる事を防止する効果が発揮できる。
【図面の簡単な説明】
【００１０】
【図１】本発明のフードとバイザーを示す図である。
【図２】本発明のフードとバイザーを着脱した図である。
【図３】本発明のバイザーの図である。
【図４】本発明のバイザーの土台部を回転させた図である。
【図５】本発明のバイザーの図である。
【図６】本発明のバイザーの図である。
【図７】本発明のバイザーの図である。
【図８】本発明のフードの図である。
【図９】本発明のフードとバイザーを変形させ、袋状にした図である。
【図１０】本発明のバイザーの内部の状態を示す図である。
【図１１】本発明のフックの図である。
【図１２】本発明のフックの使用状態を示す図である。
【図１３】本発明のフックの使用状態を示す図である。
【図１４】本発明の使用状態を示す図である。
【発明を実施するための形態】
【００１１】
以下、本発明の実施の形態を説明する。
図１４はこの発明の実施の形態１に係るポンチョを示す構成図である。符号１はバイザー部分、符号２はフード部分、符号５はポンチョの身体全体を覆う部分、符号６は両端にフックを２個装備したゴムで伸縮する部材である。
【００１２】
図１は、フードとバイザーを雨具として使用した時の図であり、図３はバイザー単体の図で、図８はフード単体の図で、図９がフードとバイザーを手提げ収納袋として使用する時の図である。
【００１３】
雨具使用時には、第１係合部である、バイザーの係合部１a、係合部１b、係合部１c部分が、フードの係合部２a、係合部２b、係合部２c部分と結合して使用される。更に、第２係合部である、フードの係合部２d、係合部２e、係合部２f部分が、ポンチョの身体を覆う部分である首の辺りの襟部分とも結合して使用される。この着脱構造は上記係合部のスナップボタンの構造に限定されない。例えば面ファスナーやスライドファスナーなども用いることができる。
【００１４】
図２、図９、図１０は、この発明の実施形態２に係るポンチョの手提げ収納袋を示す構成図である。符号４のバイザーの土台部は、帯状で両端近傍にバイザーと回動自在に連結されている。土台部の素材は金属やプラスチックからなっており、土台部は頭部と接する部分でもある為、綿・ナイロン・ポリエステル・ウール・麻・シルクなどで構成された布状の素材で覆われている構造である。バイザーのつば部分の素材はプラスチックからなっている。
【００１５】
符号２のフードは、１辺にスライドファスナーによって開閉自在となっており、ス    ライドファスナーを閉じた状態では、フードは開口部を有する収納袋として使用できるようになる。このとき、開口部と隣り合う１辺にスライドファスナーを設ける。
【００１６】
符号４のバイザーの土台部を回転させ持ち手とし、第３係合部である、バイザーの係合部１a、係合部１b、係合部１c部分と、フードの係合部２f、係合部２d、係合部２e部分とを結合し、フードのスライドファスナーを閉じることにより手提げ収納袋となり、そこにポンチョ本体をコンパクトに収納することができる。この着脱構造が上記係合部の構造に限定されないのは前記同様であり、このバイザーとフードを手提げ収納袋とする構造は、ポンチョタイプに限定されない。例えばワンピースタイプやセパレートタイプの合羽の雨具だけでなく、晴れの日にも使えるサンバイザーとフードなどにも用いることができる。更に収納袋はフードに限定されない。例えばポンチョ本体とは別に付属する収納袋をバイザーと上記のように結合して手提げ収納袋とすることもできる。
【００１７】
図１１は両端にフックを２個装備したゴムで伸縮する部材の構成図である。図１２、図１３は、この発明の実施形態３に係る、両端にフックを２個装備したゴムで伸縮する部材が自転車カゴに装着された状態を示す図である。
【００１８】
第４係合部である、符号６の両端にフックを２個装備したゴムで伸縮する部材の中央部分の係合部６eと、符号５のポンチョ本体の前面下部の係合部５aを結合し、符号６の両端にフックを２個装備したゴムで伸縮する部材の係合部６c、係合部６d部分を自転車かごの下部に引っかけることで、ポンチョ先端部分が風でめくれるのを防止することができる。両端にフックを２個装備したゴムで伸縮する部材を図１２のように、Ｖ状に使用する以外に、ストレート形状で使用して自転車かごに引っかけることもできる。このスナップボタンの着脱構造が上記係合部の構造に限定されないのは前記同様である。
【符号の説明】
【００１９】
１  バイザーつば部分
２  フード
３  ファスナー
４  バイザー土台部分（手提げ収納袋持ち手部分）
５  ポンチョ本体
６  両端にフックを２個装備したゴムで伸縮する部材
【図１】
2013234411.tif 000003
【図２】
2013234411.tif 000004
【図３】
2013234411.tif 000005
【図４】
2013234411.tif 000006
【図５】
2013234411.tif 000007
【図６】
2013234411.tif 000008
【図７】
2013234411.tif 000009
【図８】
2013234411.tif 000010
【図９】
2013234411.tif 000011
【図１０】
2013234411.tif 000012
【図１１】
2013234411.tif 000013
【図１２】
2013234411.tif 000014
【図１３】
2013234411.tif 000015
【図１４】
2013234411.tif 000016